【手続補正書】
【提出日】平成19年4月13日(2007.4.13)
【手続補正１】
【補正対象書類名】特許請求の範囲
【補正対象項目名】全文
【補正方法】変更
【補正の内容】
【特許請求の範囲】
【請求項１】
ポンプ光駆動される固体アイセーフレーザにおいて、
第１の波長でレーザエネルギを発生するように動作する第１のレージング媒体と、
前記第１のレージング媒体と結合され、前記第１の波長のエネルギをそこで反射的に維持するために第１の共振空洞を規定し、波長のアイセーフ帯域内の第２の波長でレーザエネルギを発生するように動作する第２のレージング媒体と、
前記第１のレージング媒体と前記第２のレージング媒体との間の結合に沿って配置され、前記第１の波長で透過性であり、前記第２の波長で反射性であり、それによって前記第２のレージング媒体内で前記第２の波長を反射的に維持するための第２の空洞を規定している透過／反射層と、
前記透過／反射層と反対側の前記第２のレージング媒体の端部に配置される出力結合器とを具備しているレーザ。
【請求項２】
前記第１及び第２のレージング媒体は固体材料である請求項１記載のレーザ。
【請求項３】
前記第１のレージング媒体はネオジムイオンをドープされたイットリウムアルミニウムガーネットであり、ポンプ光波長は約８００ナノメータである請求項１記載のレーザ。
【請求項４】
前記第１のレージング媒体はイッテルビウムイオンをドープされたイットリウムアルミニウムガーネットであり、ポンプ光波長は約９４０ナノメータである請求項１記載のレーザ。
【請求項５】
前記第２のレージング媒体はエルビウムイオンをドープされたイットリウムアルミニウムガーネットである請求項１記載のレーザ。
【請求項６】
前記第２のレージング媒体は次の材料、Ｓｃ２ＳｉＯ７、Ｓｃ２ＳｉＯ５、Ｙ２ＳｉＯ５、Ｃａ２Ａｌ２ＳｉＯ７、ＹＶＯ４またはＢｅＡＬ２Ｏ４または類似の固体材料の１つから選択されたエルビウムイオンをドープされたホスト材料である請求項１記載のレーザ。
【請求項７】
前記第１の波長は約１ミクロンである請求項１記載のレーザ。
【請求項８】
前記第２の波長は約１．５ミクロンである請求項１記載のレーザ。
【請求項９】
前記第２の波長は約１．４ミクロン乃至１．８ミクロンの範囲である請求項１記載のレーザ。
【請求項１０】
ポンプ光エネルギは高いパワーのダイオードバーアレイにより与えられる請求項１記載のレーザ。
【請求項１１】
ポンプ光エネルギはパルスで与えられる請求項１記載のレーザ。
【請求項１２】
さらに、前記第２のレージング媒体と前記出力結合器との間に配置されているＱスイッチを具備している請求項１記載のレーザ。
【請求項１３】
前記Ｑスイッチは飽和可能な吸収性Ｑスイッチである請求項１２記載のレーザ。
【請求項１４】
前記透過／反射層は誘電体被覆である請求項１記載のレーザ。
【請求項１５】
さらに、前記透過／反射層から前記第１のレージング媒体の反対側の端部に位置する前記第１の波長で反射性である誘電体被覆を具備している請求項１記載のレーザ。
【請求項１６】
さらに、前記第１の波長で反射性であり、前記第２の波長で透過性であり、前記第２のレージング媒体と前記Ｑスイッチとの間に配置されている誘電体被覆を具備している請求項１２記載のレーザ。
【請求項１７】
レーザはパルス駆動動作モードで動作する請求項１記載のレーザ。
【請求項１８】
約９４０ナノメータの波長でパルスエネルギを放射する高パワー発光ダイオードのポンプ光アレイと、
固体のイッテルビウムイオンをドープされたイットリウムアルミニウムガーネットから形成され、前記ポンプ光エネルギの吸収の結果として約１ミクロンの第１の波長でレーザエネルギを発生するように動作する第１のレージング媒体と、
エルビウムイオンをドープされた結晶またはエルビウムイオンをドープされたイットリウムアルミニウムガーネットから形成され、第１のレージング媒体と結合され、前記第１の波長のエネルギをそこで反射的に維持するために共に第１の共振空洞を規定し、前記第１の波長のエネルギの吸収の結果として約１．５乃至１．６ミクロンの第２の波長でレーザエネルギを発生するように動作する第２のレージング媒体と、
前記第１のレージング媒体と前記第２のレージング媒体との間の結合に沿って配置され、前記第１の波長において透過性であり、前記第２の波長において反射性であり、それによって前記第２のレージング媒体内で前記第２の波長を反射的に維持するための第２の空洞を規定している第１の誘電体被覆と、
前記第１の誘電体被覆から前記第１のレージング媒体の反対側の端部に位置する前記第１の波長で反射性である第２の誘電体被覆と、
前記第１の誘電体被覆から前記第２のレージング媒体の反対側の端部に位置する前記第１の波長で反射性であり、前記第２の波長で透過性である第３の誘電体被覆と、
前記第３の誘電体被覆を超えて前記第２のレージング媒体の端部に配置され、漂白動作によって透過状態に切換えられるまで前記第２の波長で吸収性であり、それによってレーザ光のパルスとして前記第２の波長エネルギが前記第２の空洞を出ることを可能にするコバルト結晶Ｑスイッチとを具備している固体のアイセーフレーザ。
【請求項１９】
間に透過／反射層を有する第１および第２のレージング媒体とＱスイッチとを使用して、ポンプ光駆動されたアイセーフレーザビームを発生する方法において、
結合されているポンプ光エネルギの吸収により第１の波長でエネルギを発生するために第１のレージング媒体をレーザ動作させ、
第１および第２のレージング媒体の範囲により規定される共振空洞中に前記第１の波長エネルギを反射的に維持し、
第２のレージング媒体により前記第１の波長のエネルギ吸収によりアイセーフ波長帯域内で第２の波長でエネルギを発生するために第２のレージング媒体をレーザ動作させ、
第２のレージング媒体の１端部の透過／反射層と、第２のレーザ媒体の反対側の端部におけるＱスイッチとの間に形成される第２の共振空洞中に前記第２の波長のエネルギを反射的に維持し、透過／反射層は前記第１の波長で透過性であり、前記第２の波長で反射性であり、
吸収状態から透過状態へＱスイッチを切換え、それによって前記第２の波長のエネルギを放射するステップを含んでいる方法。
【請求項２０】
前記第１および第２の媒体のレージングステップは固体材料中で行われる請求項１９記載の方法。
【請求項２１】
前記第１のレージングステップはネオジムイオンをドープされたイットリウムアルミニウムガーネットである媒体中で行われ、ポンプ光波長は約８００ナノメータである請求項１９記載の方法。
【請求項２２】
前記第１のレージングステップはイッテルビウムイオンをドープされたイットリウムアルミニウムガーネットである媒体中で行われ、ポンプ光波長は約９４０ナノメータである請求項１９記載の方法。
【請求項２３】
前記第２のレージングステップはエルビウムイオンをドープされた結晶である媒体中で行われる請求項１９記載の方法。
【請求項２４】
前記第１の波長は約１ミクロンである請求項１９記載の方法。
【請求項２５】
前記第２の波長は約１．５ミクロンである請求項１９記載の方法。
【請求項２６】
前記第２の波長は約１．４ミクロン乃至１．８ミクロンの範囲である請求項１９記載の方法。
【請求項２７】
ポンプ光エネルギは高パワーのダイオードバーアレイから結合される請求項１９記載の方法。
【請求項２８】
さらに、ポンプ光エネルギをパルスで供給するステップを含んでいる請求項１９記載の方法。
【請求項２９】
前記透過／反射層は誘電体被覆である請求項１９記載の方法。
【請求項３０】
さらに前記切換えステップの複数の反復によってレーザをパルス駆動するステップを含んでいる請求項１９記載の方法。